(57)【要約】      （修正有）【課題】管理者が退出時に行う出入口等の扉として利用する防火扉の閉鎖に伴う警報報知の解除操作を不要とする火災報知設備を提供する。【解決手段】火災報知設備において、警戒区域の防火扉２４は通常状態で開放保持され、火災時に閉鎖されるが、施設の出入口等の扉として開閉される。防火扉が閉鎖されると、受信機１０に閉鎖確認信号が送信されて警報報知されるが、出入口等の扉として使用される防火扉については、マスク部により閉鎖確認信号をマスクすることで警報報知を抑止する。受信機のマスク設定制御部５０は、防火扉からの閉鎖確認信号のマスクを開始するマスク開始時刻とマスクを終了するマスク終了時刻を指定したタイムスケジュールを、マスク部に設定して制御することにより、管理者が防火扉を閉鎖して退出する前に、自動的に閉鎖確認信号をマスクして、防火扉を閉鎖しても警報報知を出さないようする。【選択図】図１
2020135691.tif 000002
【特許請求の範囲】
【請求項１】
施設の警戒区域の火災の検出を行う火災感知器と受信機を備える火災報知設備に於いて、
前記警戒区域に、
火災時に閉鎖され、且つ、前記施設の扉として開閉される防火扉と、
前記防火扉の閉鎖を検出して閉鎖確認信号を前記受信機に送信する防火扉閉鎖検出手段と、
が設けられ、
前記受信機に、
前記防火扉閉鎖検出手段からの前記閉鎖確認信号を受信したときに前記防火扉閉鎖を警報報知させる受信制御手段と、
前記閉鎖確認信号をマスクして前記受信制御手段による前記防火扉閉鎖の警報報知を抑止するマスク手段と、
が設けられた火災報知設備に於いて、
前記受信機に、前記閉鎖確認信号のマスクを開始するマスク開始時刻と前記マスクを終了するマスク終了時刻を指定したタイムスケジュールを前記マスク手段に設定して制御するマスク設定制御手段が設けられたことを特徴とする火災報知設備。
【請求項２】
請求項１記載の火災報知設備に於いて、
前記マスク設定制御手段は、前記閉鎖確認信号をマスクする１週間の曜日を指定した前記タイムスケジュールを設定することを特徴とする火災報知設備。
【請求項３】
請求項２記載の火災報知設備に於いて、
前記マスク設定制御手段は、前記１週間の曜日についてし、前記施設の稼働日と休日を指定した前記タイムスケジュールを設定することを特徴とする火災報知設備。
【請求項４】
請求項２記載の火災報知設備に於いて、
前記マスク設定制御手段は、前記１週間の曜日について、前記施設の稼働日及び休日以外の所定の特殊日を指定した前記タイムスケジュールを設定することを特徴とする火災報知設備。
【請求項５】
請求項１乃至４の何れかに記載の火災報知設備に於いて、
前記マスク設定制御手段は、１又は複数の前記防火扉を指定した前記タイムスケジュールを設定することを特徴とする火災報知設備。
【請求項６】
請求項１乃至４の何れかに記載の火災報知設備に於いて、
前記マスク設定制御手段は、前記防火扉にグループ符号を付与してグループ分けし、グループ単位に前記タイムスケジュールを設定することを特徴とする火災報知設備。
【請求項７】
請求項１乃至６の何れか記載の火災報知設備に於いて、
前記マスク設定制御手段は、異なる前記マスク開始時刻と前記マスク終了時刻が指定された複数種類のタイムスケジュールを予め生成して記憶し、前記複数種類のタイムスケジュールを選択して設定することを特徴とする火災報知設備。
【請求項８】
施設の警戒区域の火災の検出を行う火災感知器と受信機を備える火災報知設備に於いて、
前記警戒区域に、
火災時に閉鎖され、且つ、前記施設の扉として開閉される防火扉と、
前記防火扉の閉鎖を検出して閉鎖確認信号を前記受信機に送信する放火扉閉鎖検出手段と、
が設けられ、
前記受信機に、
前記防火扉閉鎖検出手段からの前記閉鎖確認信号を受信したときに前記防火扉閉鎖を警報報知する受信制御手段と、
前記閉鎖確認信号をマスクして前記受信制御手段による前記防火扉閉鎖の警報報知を抑止するマスク手段と、
が設けられた火災報知設備に於いて、
セキュリティ設備から警備開始信号又は警備開始の予告信号を受信したときに、前記マスク手段による前記閉鎖確認信号のマスク設定を開始させ、前記セキュリティ設備から警備終了信号又は警備終了の予告信号を受信したときに、前記マスク手段による前記閉鎖確認信号のマスク設定を解除させるマスク設定制御手段が設けられたことを特徴とする火災報知設備。
【発明の詳細な説明】
【技術分野】
【０００１】
本発明は、受信機から引き出された信号回線に火災感知器を接続して火災を監視する火災報知設備に関する。
【背景技術】
【０００２】
従来、受信機から引き出された信号回線に火災感知器を接続して火災を監視する火災報知設備としては、Ｒ型火災報知設備が知られている。
【０００３】
Ｒ型火災報知設備にあっては、受信機から引き出された信号回線に、固有のアドレスが設定された伝送機能を有するアナログ火災感知器を接続し、火災発生時には、アナログ火災感知器からの火災割込みに基づき、受信機から検索コマンドを発行して発報したアナログ火災感知器のアドレスを特定し、受信機で火災代表灯を点灯して主音響警報を出力し、更に、アドレス表示器等に火災を検出した感知器アドレスを表示するようにしている。
【０００４】
このように、火災を検出した火災感知器のアドレスが分かると、適切な避難誘導や消火活動が可能となり、特に規模の大きな設備の火災監視には不可欠な機能となっている。
【０００５】
また、Ｒ型火災報知設備の受信機から引き出された信号回線には、伝送機能を備えた中継器を介して防火扉を閉鎖解除するソレノイドと扉の閉鎖を検出する開閉検出器が接続されており、火災時には受信機からの制御信号によりソレノイドを作動して防火扉の保持を解除して閉鎖させ、防火扉の閉鎖を開閉検出器で検出して閉鎖確認信号を受信機に送り、受信機のディスプレイに防火扉の閉鎖を警報報知し、防火扉の閉鎖を確認可能としている。
【０００６】
ところで、火災報知設備が設置されたビル等の施設にあっては、防火扉と出入口扉や店舗閉鎖用の扉等を兼用する場合があり、このような出入口扉や店舗閉鎖井の扉等を兼用した防火扉は管理用扉と呼ばれ、防火管理者が朝出勤して定刻になったら開放し、業務時間帯は開放状態を維持し、業務時間が終了して管理者が退出する際に、出入口を兼用した防火扉を閉鎖する、といった運用管理を行っている。以降、出入口扉や店舗閉鎖用の扉等をまとめて出入口等の扉と記載する。
【先行技術文献】
【特許文献】
【０００７】
【特許文献１】特開２００７−２１９８７０号公報
【特許文献２】特開２０１７−１９１４１８号公報
【発明の概要】
【発明が解決しようとする課題】
【０００８】
しかしながら、施設に設けられた出入口等の扉を兼用した防火扉にあっては、管理者が退出時に防火扉を閉鎖すると、防火扉の閉鎖確認信号により受信機で不必要な警報報知が行われ、警報停止と解除に手間と時間がかかることから、受信機に防火扉からの閉鎖確認信号をマスクして警報報知させないようにする操作機能が設けられており、管理者は退出に先立ち、閉鎖する防火扉の閉鎖確認信号をマスクする操作を受信機で行ってから、出入口等の扉を兼用した防火扉を閉鎖して退出するようにしており、出入口等の扉を兼用した防火扉からの閉鎖確認信号による警報報知をなくすためのマスク設定操作を日常的に繰り返さなければならず、また、管理者が施設からの退出は、施設の稼働日や休日等により退出する時間が異なり、施設の運用管理における作業負担が大きいという問題がある。
【０００９】
本発明は、出入口等の扉を兼用した防火扉の閉鎖に伴う警報報知を抑止するための閉鎖確認信号に対するマスク設定を簡単且つ容易に行うことを可能にして管理者の作業負担を軽減させる火災報知設備を提供することを目的とする。
【課題を解決するための手段】
【００１０】
（第１発明：タイムスケジュールの設定により確認信号をマスクする火災報知設備）
本発明は、
施設の警戒区域の火災の検出を行う火災感知器と受信機を備える火災報知設備に於いて、
警戒区域に、
火災時に閉鎖され、且つ、施設の扉として開閉される防火扉と、
防火扉の閉鎖を検出して閉鎖確認信号を受信機に送信する防火扉閉鎖検出手段と、
が設けられ、
受信機に、
防火扉閉鎖検出手段からの閉鎖確認信号を受信したときに防火扉閉鎖を警報報知させる受信制御手段と、
閉鎖確認信号をマスクして受信制御手段による防火扉閉鎖の警報報知を抑止するマスク手段と、
が設けられた火災報知設備に於いて、
受信機に、閉鎖確認信号のマスクを開始するマスク開始時刻とマスクを終了するマスク終了時刻を指定したタイムスケジュールをマスク手段に設定して制御するマスク設定制御手段が設けられたことを特徴とする。
【００１１】
（曜日を指定したタイムスケジュール設定）
マスク設定制御手段は、閉鎖確認信号をマスクする１週間の曜日を指定したタイムスケジュールを設定する。
【００１２】
（稼働日と休日を指定したタイムスケジュール設定）
マスク設定制御手段は、１週間の曜日について、施設の稼働日と休日を指定したタイムスケジュールを設定する。
【００１３】
（特殊日を指定したタイムスケジュール）
マスク設定制御手段は、１週間の曜日について、施設の稼働日及び休日以外の所定の特殊日を指定したタイムスケジュールを設定する。
【００１４】
（防火扉個別又は防火扉一括のスケジュール設定）
マスク設定制御手段は、１又は複数の防火扉を指定したタイムスケジュールを設定する。
【００１５】
（グループ分けしたスケジュール設定）
マスク設定制御手段は、防火扉にグループ符号を付与してグループ分けし、グループ単位にタイムスケジュールを設定する。
【００１６】
（タイムスケジュールの選択設定）
マスク設定制御手段は、異なるマスク開始時刻とマスク終了時刻が指定された複数種類のタイムスケジュールを予め生成して記憶し、複数種類のタイムスケジュールを選択して設定する。
【００１７】
（第２発明：セキュリティ設備に連動して閉鎖確認信号をマスクする火災報知設備）
本発明の他の形態にあっては、
施設の警戒区域の火災の検出を行う火災感知器と受信機を備える火災報知設備に於いて、
警戒区域に、
通常状態で開放保持されると共に火災時に閉鎖され、且つ、施設の出入口等の扉として開閉される防火扉と、
防火扉の閉鎖を検出して閉鎖確認信号を受信機に送信する放火扉閉鎖検出手段と、
が設けられ、
受信機に、
防火扉閉鎖検出手段からの閉鎖確認信号を受信したときに防火扉閉鎖を警報報知する受信制御手段と、
閉鎖確認信号をマスクして受信制御手段による防火扉閉鎖の警報報知を抑止するマスク手段と、
が設けられた火災報知設備に於いて、
セキュリティ設備から警備開始信号又は警備開始の予告信号を受信したときに、マスク手段による閉鎖確認信号のマスク設定を開始させ、セキュリティ設備から警備終了信号又は警備終了の予告信号を受信したときに、マスク手段による閉鎖確認信号のマスク設定を解除させるマスク設定制御手段が設けられたことを特徴とする。
【発明の効果】
【００１８】
（第１発明の基本的な効果）
本発明は、施設の警戒区域の火災の検出を行う火災感知器と受信機を備える火災報知設備に於いて、警戒区域に、火災時に閉鎖され、且つ、施設の扉として開閉される防火扉と、防火扉の閉鎖を検出して閉鎖確認信号を受信機に送信する防火扉閉鎖検出手段とが設けられ、受信機に、防火扉閉鎖検出手段からの閉鎖確認信号を受信したときに防火扉閉鎖を警報報知させる受信制御手段と、閉鎖確認信号をマスクして受信制御手段による防火扉閉鎖の警報報知を抑止するマスク手段とが設けられた火災報知設備に於いて、受信機に、閉鎖確認信号のマスクを開始するマスク開始時刻とマスクを終了するマスク終了時刻を指定したタイムスケジュールを、マスク手段に設定して制御するマスク設定制御手段が設けられたため、出入口等の扉を兼用した防火扉を管理する施設の管理者は、閉鎖確認信号のマスクを開始するマスク開始時刻とマスクを終了するマスク終了時刻を指定したタイムスケジュールを、予め受信機の操作により設定しておくことにより、夜間等の定刻に達して管理者が防火扉を閉鎖して退出するときに、予め設定したタイムスケジュールに従って閉鎖確認信号に対するマスク設定が受信機で行われており、防火扉の閉鎖に伴い閉鎖確認信号を受信しても警報報知は行われず、閉鎖確認信号のマスクに管理者の手動設定操作が不要となり、管理者の火災報知設備が設置された施設の日常的な運用管理における負担を大幅に低減できる。
【００１９】
（曜日を指定したタイムスケジュール設定の効果）
また、マスク設定制御手段は、閉鎖確認信号をマスクする１週間の曜日を指定したタイムスケジュールを設定するようにしたため、月曜日から日曜日の各曜日を指定したタイムスケジュールの設定により、年月日を意識することなく、簡単に防火扉からの閉鎖確認信号をマスクするタイムスケジュールを生成して設定することができる。
【００２０】
（稼働日と休日を指定したタイムスケジュール設定の効果）
また、マスク設定制御手段は、１週間の曜日について、施設の稼働日と休日を指定したタイムスケジュールを設定するようにしたため、稼働日と休日では、施設の利用時間帯が異なることから、これに対応した閉鎖確認信号をマスクするタイムスケジュールを簡単且つ容易に設定することができる。
【００２１】
（特殊日を指定したタイムスケジュールの効果）
また、マスク設定制御手段は、１週間の曜日について、施設の稼働日及び休日以外の所定の特殊日を指定したタイムスケジュールを設定するようにしたため、稼働日や休日とは異なる創立記念日等の特殊日の施設の利用時間帯に対応して、防火扉からの閉鎖確認信号をマスクするタイムスケジュールを簡単且つ容易に設定することができる。
【００２２】
（防火扉個別又は防火扉一括のスケジュール設定の効果）
また、マスク設定制御手段は、１又は複数の防火扉を指定したタイムスケジュールを設定するようにしたため、必要に応じて、防火扉個別のタイムスケジュールの設定や、防火扉の全てに対する一括したタイムスケジュールの設定を簡単に行うことができる。
【００２３】
（グループ分けしたスケジュール設定の効果）
また、マスク設定制御手段は、防火扉にグループ符号を付与してグループ分けし、グループ単位にタイムスケジュールを設定するようにしたため、例えば、異なる建物の防火扉を受信機で監視制御しているような場合、建物毎に防火扉をグループ分けし、グループ単位にタイムスケジュールを設定することで、建物毎に利用時時間帯が異なっても、グループ分けによるタイムスケジュールの設定で簡単且つ容易に対処できる。
【００２４】
（タイムスケジュールの選択設定の効果）
また、マスク設定制御手段は、異なるマスク開始時刻とマスク終了時刻が指定された複数種類のタイムスケジュールを予め生成して記憶し、複数種類のタイムスケジュールの内の一つを選択して設定するようにしたため、マスク開始時刻とマスク終了時刻の異なる複数種類のタイムスケジュールを予め準備しておくことで、その中から必要とするタイムスケジュールを選択するだけで、必要とするタイムスケジュールを簡単に設定して防火扉の閉鎖に伴う閉鎖確認信号をマスクして警報報知を抑止できる。
【００２５】
（第２発明の基本的な効果）
本発明の他の形態にあっては、施設の警戒区域の火災の検出を行う火災感知器と受信機を備える火災報知設備に於いて、警戒区域に、火災時に閉鎖され、且つ、施設の扉として開閉される防火扉と、防火扉の閉鎖を検出して閉鎖確認信号を受信機に送信する放火扉閉鎖検出手段とが設けられ、受信機に、防火扉閉鎖検出手段からの閉鎖確認信号を受信したときに防火扉閉鎖を警報報知する受信制御手段と、閉鎖確認信号をマスクして警報報知手段による防火扉閉鎖の警報報知を抑止するマスク手段とが設けられた火災報知設備に於いて、セキュリティ設備から警備開始信号又は警備開始の予告信号を受信したときに、マスク手段による閉鎖確認信号のマスク設定を開始させ、セキュリティ設備から警備終了信号又は警備終了の予告信号を受信したときに、マスク手段による閉鎖確認信号のマスク設定を解除させるマスク設定制御手段が設けられたため、施設の利用時間帯が経過してセキュリティ設備で施設の警戒監視に伴う警備開始信号を受信すると、出入口等の扉を兼用した防火扉からの閉鎖確認信号に対するマスク設定が自動的に行われ、夜間等の定刻に達して管理者が防火扉を閉鎖して退出するときに、セキュリティ設備との連動により閉鎖確認信号に対するマスク設定が受信機で自動的に行われており、防火扉の閉鎖に伴い閉鎖確認信号を受信しても警報報知は行われず、閉鎖確認信号のマスクに管理者の手動設定操作が不要となり、管理者の火災報知設備が設置された施設の日常的な運用管理における負担大幅に低減できる。
【図面の簡単な説明】
【００２６】
【図１】本発明が適用される火災報知設備の概要を示した説明図
【図２】通常監視画面を示した説明図
【図３】スケジュールメニュー画面を示した説明図
【図４】稼働日・休日設定画面を示した説明図
【図５】特殊日設定画面を示した説明図
【図６】スケジュール時刻設定画面を示した説明図
【図７】開始時刻と終了時刻の設定とタイムスケジュールの関係を示した説明図
【図８】スケジュールマスク設定画面を示した説明図
【図９】図８に続くスケジュールマスク設定画面を示した説明図
【図１０】防火扉管理データを一覧形式で示した説明図
【図１１】スケジュール設定制御部により設定されたタイムスケジュールの一例を示した説明図
【図１２】確認マスクのタイムスケジュールが設定された状態での通常監視画面を示した説明図
【図１３】マスク中の閉鎖確認信号の受信前と受信後のスケジュールマスクの詳細画面を示した説明図
【図１４】防火扉確認一覧画面を示した説明図
【図１５】セキュリティ設備と連動する火災報知設備の実施形態を示した説明図
【発明を実施するための形態】
【００２７】
［火災報知設備］
図１は本発明が適用されるＲ型の火災報知設備の概要を示した説明図である。
【００２８】
（実施形態の基本的概念）
本実施形態の基本的概念は、受信機１０から施設の警戒区域に引き出された信号回線に火災感知器１４を接続して火災を監視し、警戒区域に、通常状態で開放保持されると共に火災時に閉鎖され、且つ、施設の出入口等の扉として開閉される防火扉２４と、防火扉２４の閉鎖を検出して閉鎖確認信号を受信機１０に送信する防火扉閉鎖検出手段として機能する閉鎖検出器２４ｂとが設けられ、受信機１０に、閉鎖検出器２４ｂからの閉鎖確認信号を受信したときに防火扉閉鎖を警報報知させる受信制御手段として機能する受信制御部４６と、閉鎖確認信号をマスクして受信制御部４６による防火扉閉鎖の警報報知を抑止するマスク手段として機能するマスク部４８とが設けられた火災報知設備であって、受信機１０に、閉鎖確認信号のマスクを開始するマスク開始時刻とマスクを終了するマスク終了時刻を指定したタイムスケジュールを、マスク部４８に設定して制御するマスク設定制御手段として機能するマスク設定制御部５０が設けられたものであり、出入口等の扉を兼用した防火扉２４を管理する施設の管理者は、閉鎖確認信号のマスクを開始するマスク開始時刻とマスクを終了するマスク終了時刻を指定したタイムスケジュールを、予め受信機１０の操作により設定しておくことにより、夜間等に定刻に達して管理者が防火扉２４を閉鎖して退出するときに、マスク設定制御部５０により予め設定したタイムスケジュールに従って閉鎖確認信号に対するマスク設定が受信機１０で行われており、防火扉２４の閉鎖に伴い閉鎖確認信号を受信しても警報報知は行われず、閉鎖確認信号のマスクに管理者の手動設定操作が不要となり、管理者の火災報知設備が設置された施設の日常的な運用管理における負担を大幅に低減できる、というものである。以下、具体的に説明する。
【００２９】
（火災報知設備の概要）
図１に示すように、火災報知設備が設置された建物の一階の管理人室などには例えばＲ型の受信機１０が設置され、受信機１０から警戒区域に対し系統毎に分けて信号回線１２−１〜１２−３が引き出されている。なお、以下の説明では、信号回線１２−１〜１２−３を区別する必要がない場合は、信号回線１２という場合がある。
【００３０】
信号回線１２−１には固有のアドレスが設定された伝送機能を有する複数のアナログ型の火災感知器１４が接続され、また、固有のアドレスが設定された伝送機能を有する中継器１６から引き出された感知器回線１７にオンオフ型の火災感知器１８及び発信機２０が接続されている。信号回線１２−２には複数のアナログ型の火災感知器１４の接続に加え、固有のアドレスが設定された伝送機能を有するアドレッサブル発信機２２が接続されている。
【００３１】
更に、信号回線１２−３には固有のアドレスが設定された伝送機能を有する中継器１６を介して防火扉２４が接続されている。防火扉２４は、ソレノイド２４ａを備えたラッチ装置により、通常監視時は開放状態に保持されており、受信機１０で火災を判断したときの制御信号を中継器１６で受信し、駆動回路部２４ｃによるソレノイド２４ａの通電でラッチを解除して閉鎖される。防火扉２４には閉鎖検出器２４ｂが設けられており、防火扉２４の閉鎖を検出したとき、閉鎖確認信号を中継器１６を介して受信機１０に送信する。
【００３２】
本実施形態の防火扉２４は、施設の出入口等の扉を兼用しており、昼間の時間帯における施設の稼働が終了すると管理者により防火扉２４は閉鎖され、次の日の施設の稼働を開始する時刻に管理者により開放される。このように出入口等の扉を兼用する防火扉２４は、管理用扉と呼ばれる場合がある。
【００３３】
施設の出入口等の扉を兼用した防火扉２４は、施設の稼働終了時に閉鎖すると、閉鎖検出器２４ｂが扉閉鎖を検出し、中継器１６を介して受信機１０に閉鎖確認信号を送信し、これを受信した受信機１０は、防火扉２４の閉鎖を示す警報表示をディスプレイ３６の画面表示により行い、必要に応じて音響警報部４２から閉鎖確認音が出力される。
【００３４】
ここで、信号回線１２−１〜１２−３に接続される火災感知器１４、中継器１６等の端末機器に設定される最大アドレス数は例えば２５５としており、信号回線１２には最大２５５台の火災感知器１４を含む端末機器が接続できる。
【００３５】
（受信機の機能構成）
受信機１０には、メインＣＰＵ２６と複数のサブＣＰＵ基板２８−１〜２８−３が設けられ、サブＣＰＵ基板２８−１〜２８−３にはサブＣＰＵ３０−１〜３０−３と伝送部３２−１〜３２−３が設けられている。
【００３６】
メインＣＰＵ２６とサブＣＰＵ３０−１〜３０−３は、シリアル転送バス３４で接続されており、相互にデータを送受信する。なお、以下の説明では、サブＣＰＵ３０−１〜３０−３及び伝送部３２−１〜３２−３を区別する必要がない場合はサブＣＰＵ３０及び伝送部３２という場合がある。
【００３７】
メインＣＰＵ２６には、表示手段として機能する液晶表示パネル等を用いたタッチパネル付きのディスプレイ３６が接続され、ディスプレイ３６には受信機１０による火災監視に必要な情報がそのときの受信機１０の状況に応じて表示される。ディスプレイ３６による火災監視に必要な情報には、通常監視時及び火災時に発生したイベント、防火扉閉鎖等の運用管理に必要な情報、対処操作に必要な情報等の全ての情報、更に、受信機の保守点検モードでの運用管理や操作に必要な情報も含まれる。
【００３８】
メインＣＰＵ２６に対して表示手段として機能するディスプレイ３６に加え、ＬＥＤ等の表示灯を用いた表示部３８が設けられる。表示部３８には火災代表灯、ガス漏れ代表灯等が設けられる。
【００３９】
また、メインＣＰＵ２６に対しては操作部４０が接続され、操作部４０には火災監視に必要な火災断定スイッチ、主音響停止スイッチ、地区音響一時停止スイッチ等の各種スイッチが設けられている。
【００４０】
また、メインＣＰＵ２６にはスピーカが設けられた音響警報部４２、及び、移報部４４が接続されている。音響警報部４２は、火災発生を判断した場合に主音響警報を出力する。メインＣＰＵ２６にはプログラムの実行により制御手段として機能する受信制御部４６が設けられる。
【００４１】
（受信機の火災受信制御）
図１に示すように、サブＣＰＵ基板２８−１のサブＣＰＵ３０−１を例にとると、伝送部３２−１に指示して火災感知器１４との間で所定の通信プロトコルに従って信号を送受信することで、火災監視制御を行っている。伝送部３２−１から火災感知器１４に対する下り信号は電圧モードで伝送している。この電圧モードの信号は、信号回線１２−１の線路電圧を例えば１８ボルトと３０ボルトの間で変化させる電圧パルスとして伝送される。
【００４２】
これに対し火災感知器１４から伝送部３２−１に対する上り信号は電流モードで伝送される。この電流モードにあっては、信号回線１２−１に伝送データのビット１のタイミングで信号電流を流し、いわゆる電流パルス列として上り信号が受信機１０に伝送される。
【００４３】
サブＣＰＵ３０−１による火災監視制御は、通常の監視中にあっては、一定周期毎に、伝送部３２−１に指示して、一括ＡＤ変換コマンドを含むブロードキャストの一括ＡＤ変換信号を送信しており、この一括ＡＤ変換信号を受信した火災感知器１４は、そのとき検出している煙濃度又は温度をセンサデータとして検出して保持する。続いて、サブＣＰＵ３０−１は、端末アドレスを順次指定したポーリングコマンドを含む呼出信号を送信している。
【００４４】
火災感知器１４は自己アドレスに一致するアドレスを持つ呼出信号を受信すると、そのとき保持しているセンサデータを含む応答信号を伝送部３２−１に送信する。また、火災感知器１４は煙濃度又は温度が所定の火災注意レベルを超えると受信機１０の伝送部３２−１に対し火災割込み信号を送信する。
【００４５】
サブＣＰＵ３０−１は伝送部３２−１を介して火災割込み信号を受信すると、グループ検索コマンド信号を送信して火災を検出している火災感知器１４を含むグループを特定し、続いて、グループ内検索コマンド信号を送信して火災を検出している火災感知器１４のアドレスを特定してセンサのアナログデータを集中的に収集し、シリアル転送バス３４を介してメインＣＰＵ２６に送信する。
【００４６】
メインＣＰＵ２６はサブＣＰＵ３０−１から受信したアナログデータを所定の火災判定レベルと比較しており、アナログデータが火災判定レベルに達した場合に火災と判定し、表示部３８の火災代表灯を点灯し、音響警報部４２のスピーカから火災発生を示す所定の主音響警報を出力させ、ディスプレイ３６に火災が検出された感知器アドレスに基づき火災発生場所を含む火災警報情報を表示させ、更に、移報部４４により火災移報信号を外部に出力して所定の移報制御等を行わせる。
【００４７】
サブＣＰＵ基板２８−２に設けられたサブＣＰＵ３０−２と伝送部３２−２による火災監視制御も、前述したサブＣＰＵ基板２８−１の場合と同じになる。また、サブＣＰＵ基板２８−３に設けられたサブＣＰＵ３０−３と伝送部３２−３は、メインＣＰＵ２６で火災が検知された場合に予め記憶された連動情報に基づき防排煙機器２４の連動制御を行う。
【００４８】
また、防火扉２４については、中継器１６に対する一括ＡＤ変換信号とポーリングコマンドを含む呼出信号を送信に対する応答信号により、閉鎖検出器２４ｂの閉鎖検出による閉鎖確認信号の送信を可能といている。
【００４９】
［タイムスケジュールの設定による防火扉閉鎖確認信号のマスク処理］
（閉鎖確認信号のマスク処理の概要）
受信機１０のメインＣＰＵ２６に設けられた受信制御部４６は、防火扉２４から閉鎖確認信号を受信した場合、ディスプレイ３６に防火扉２４の閉鎖を示す警報表示を行い、必要に応じて音響警報部４２から閉鎖確認音を出力させる制御を行う。この表示及び又は音により警報することを警報報知という。
【００５０】
また、受信機１０のメインＣＰＵ２６にはプログラムの実行により実現されるマスク部４８とマスク設定制御部５０の機能が設けられる。
【００５１】
マスク部４８は、マスク設定制御部５０のタイムスケジュールの設定又は手動のマスク設定に基づき、出入口等の扉を兼用した防火扉２４から閉鎖確認信号にマスクを設定することで、防火扉２４の閉鎖確認を示す警報報知を行わないようにするマスク処理を行う。
【００５２】
マスク設定制御部５０は、防火扉２４の閉鎖検出器２４ｂから送信された閉鎖確認信号のマスクを開始するマスク開始時刻とマスクを終了するマスク終了時刻を指定したタイムスケジュールを生成し、このタイムスケジュールをマスク部４８に設定して閉鎖確認信号をマスクする制御を行う。
【００５３】
また、マスク設定制御部５０は、防火扉２４の閉鎖確認信号をマスクする１週間の曜日となる月火水木金土日のそれぞれを指定したタイムスケジュールを設定する。
【００５４】
また、マスク設定制御部５０は、１週間の曜日となる月火水木金土日のそれぞれについて、施設の稼働日と休日を指定したタイムスケジュールを設定する。更に、マスク設定制御部５０は、施設の稼働日及び休日以外の所定の特殊日、例えば元日や創立記念日等の特定の年月日を指定したタイムスケジュールを設定する。
【００５５】
また、マスク設定制御部５０は、防火扉２４を個別に指定したタイムスケジュールの設定又は複数の防火扉２４を一括指定したタイムスケジュールを設定する。
【００５６】
なお、マスク設定制御部５０による複数の防火扉２４を指定したタイムスケジュールの設定は、防火扉２４にグループ番号を付与してグループ分けし、グループ単位にタイムスケジュールを設定しても良い。例えば、複数のビル棟を対象に火災監視設備が構築された場合、ビル棟ごとに防火扉２４をグループ分けし、グループ単位に固有のタイムスケジュールを設定する。
【００５７】
また、マスク設定制御部５０は、異なるマスク開始時刻とマスク終了時刻が指定された複数種類のタイムスケジュールを予め生成して記憶し、複数種類のタイムスケジュールの内の一つを選択して設定する。
【００５８】
更に、マスク設定制御部５０は、受信制御部４６で火災が判断されて火災警報が出力された場合、そのとき手動及びタイムスケジュールによるマスク設定を解除し、防火扉２４からの閉鎖確認信号の受信に基づく防火扉２４の閉鎖を示す警報報知が行えるように制御する。
【００５９】
このようなマスク設定制御部５０による出入口等の扉を兼用した防火扉２４からの閉鎖確認信号に対するタイムスケジュールの設定によるマスク処理の詳細を説明する次のようになる。
【００６０】
（通常監視画面）
図２は受信機のディスプレイに表示される通常監視画面を示した説明図である。図２に示すように、受信機１０のタッチパネル付きのディスプレイ３６に表示される通常監視画面５２−１は、画面上段にインジケータ表示部５４が設けられ、インジケータ表示部５４には、受信機１０の状態や状況を知らせるシンボルマーク等の簡素な表示要素であるインジケータが表示されており、その中に、防火扉２４からの閉鎖確認信号のマスクを示すマスクインジケータ５６が表示されている。
【００６１】
図示のマスクインジケータ５６はマスク設定が行われていない状態を示しており、マスク設定が行われると、マスクインジケータ５６の例えば丸で囲んだ四角の外側の表示色を変化させる等してマスク設定状態を表示する。
【００６２】
なお、通常監視画面５２−１には、「正常動作中」の表示や、「機器の起動切断・移報停止する」、「地区音響警報を停止する」、「メンテナンス・避難訓練をする」といったメニュー選択釦が配置されている。
【００６３】
図２の通常監視画面５２−１において、マスク非設定を示しているマスクインジケータ５６をタッチ操作すると、図３のスケジュールメニュー画面５２−２に切り替わる。図３に示すように、スケジュールメニュー画面５２−２には、稼働日・休日設定釦５８、特殊日設定釦６０、スケジュール設定釦６２及びマスク設定釦６４が設けられている。
【００６４】
稼働日・休日設定釦５８は、曜日毎に施設の稼働日と休日の設定を行う。特殊日設定釦６０は、稼働日及び休日以外の元日や創立記念日等の施設に固有な特殊日が設定でき、例えば、特殊日は最大３０日まで設定可能としている。
【００６５】
また、スケジュール設定釦６２は、マスクを行う時間帯を例えば一日５回設定可能とし、また、稼働日と休日のスケジュールに分けたマスク設定を可能とする。
【００６６】
更に、マスク設定釦６４は、スケジュール設定釦６２で設定された５つのスケジュール番号の中から必要とするスケジュールをハード番号（スケジュール番号）を選択してスケジュールを設定可能としている。
【００６７】
（稼働日・休日設定画面）
図４は稼働日・休日設定画面を示した説明図である。図３の稼働日・休日設定メニュー釦５８をタッチ操作すると図４の稼働日・休日設定画面５２−３に切り替わる。
【００６８】
図４に示すように、稼働日・休日設定画面５２−３には、稼働日として一週間の日曜日、月曜日、火曜日、水曜日、木曜日、金曜日、土曜日に対応してダイヤログ形式の指定枠６６−１〜６６−７が設けられ、ここでは、土曜日と日曜日を「休日」に指定し、残りの月火水木金は全て「稼働日」に指定しており、この指定状態で設定釦６５をタッチ操作すると、一週間の日月火水木金土に対する休日と稼働日の設定が一括して行われる。
【００６９】
（特殊日の設定）
図５は特殊日設定画面を示した説明図である。図３の特殊日設定釦６０をタッチ操作すると図５の特殊日設定画面５２−４に切り替わる。
【００７０】
図５に示すように、特殊日設定画面５２−４には、特殊日設定欄６８に例えば３０日分の特殊日設定枠が設けられ、下側に横一列に配置されたテンキー７２により例えば１月１日を指定したい場合には、「０１０１」を入力すると入力枠７０に「０１０１」が表示され、続いて、設定釦６５をタッチ操作すると、特殊日設定欄６８の先頭の特殊日設定枠に設定され、必要に応じて順次、同じ特殊日の設定操作を繰り返すことになる。
【００７１】
（スケジュール時刻設定）
図６はスケジュール時刻設定画面を示した説明図、図７は開始時刻と終了時刻の設定とタイムスケジュールの関係を示した説明図である。
【００７２】
図３のスケジュール設定釦６２をタッチ操作すると図６のスケジュール時刻設定画面５２−５に切り替わる。図６に示すように、スケジュール時刻設定画面５２−５には、稼働日指定釦７４と休日・特殊日指定釦７６に対応して、その右側にスケジュール番号１〜５に対応して開始時間指定枠７８と終了時間指定枠８０が配置され、その下に、入力枠８２とテンキー８４が配置されている。稼働日と休日・特殊日はそれぞれ稼働日スケジュール番号１〜５と休日・特殊日スケジュール番号１〜５が設定可能である。
【００７３】
例えば、稼働日のタイムスケジュールとして、夜の６時から翌朝の６時までマスクを設定したい場合には、開始時間指定枠７８にテンキー８４を使用して開始時刻「１８：００」を入力し、また、終了時間指定枠８０にテンキー８４を使用して終了時刻「０６：００」を入力し、設定釦６５をタッチ操作することで、稼働日スケジュール番号１のタイムスケジュールが生成されて記憶される。なお、開始時刻及び終了時刻はテンキ―で入力すると入力枠８２に表示され、続いて、設定釦６５をタッチ操作すると、開始時間指定枠７８と終了時間指定枠８０に設定される。
【００７４】
ここで、図６のスケジュール時刻設定画面５２−５で設定した開始時刻及び終了時刻とマスク設定するタイムスケジュールの関係は図７に示すようになる。
【００７５】
図７（Ａ）は例えば連続する３日間の稼働日について、夜間の時間帯にマスク設定を行う場合であり、開始時間指定枠７８と終了時間指定枠８０により、同じ開始時刻「１８：００」と終了時刻「０６：００」を設定している。
【００７６】
この場合は、左側のタイムスケジュールに示すように、例えば、真ん中の稼働日を見ると、開始時間「１８：００」は翌日の稼働日の終了時間「０６：００」に対応し、マスク時間１１６を２日に分けて設定している。また、終了時間「０６：００」は前日の稼働日の開始時間「１８：００」に対応し、マスク時間１１４を２日に分けて設定している。なお、隣接する稼働日は休日や特殊日であってもよいし、開始時刻や終了時刻は同じであっても相違しても良い。
【００７７】
図７（Ｂ）は、昼間の時間帯にマスク設定を行う場合であり、開始時間指定枠７８と終了時間指定枠８０により、開始時刻「０６：００」と終了時刻「１８：００」を設定しており、左側のタイムスケジュールに示すように、稼働日の６時から１８時までがマスク設定時間１２０となり、この場合にマスク設定は前日や翌日に跨ることはない。
【００７８】
（スケジュールマスク設定）
図８はスケジュールマスク設定画面を示した説明図、図９は図８に続くスケジュールマスク設定画面を示した説明図である。
【００７９】
図３のマスク設定釦６４をタッチ操作すると、図１３に示すような一覧印字釦、確認一覧釦、戻る釦が表示された状態のスケジュールマスク設定画面が表示され、いずれかのスケジュールマスク設定欄８６をタッチ操作すると、図８のスケジュールマスク設定画面５２−６に切り替わる。
【００８０】
図８に示すように、スケジュールマスク設定画面５２−６は、多段構成のスケジュールマスク設定欄８６の下に、スケジュールマスクを設定する防火扉を指定するための盤指定枠８８、系統指定枠９０、アドレス指定枠９２及び回線指定枠９４が配置され、各指定枠には、指定数字をアップ又はダウンさせるための操作釦が設けられている。
【００８１】
また、個別の防火扉を指定する盤指定枠８８、系統指定枠９０、アドレス指定枠９２及び回線指定枠９４に加え、複数の防火扉を一斉にスケジュールマスク設定するためのグループ選択部を設けても良い。また、全ての防火扉を一斉にスケジュール設定する全体選択部を設けるようにしても良い。
【００８２】
図８にあっては、盤指定枠８８で盤番号「００１」を指定し、系統指定枠９０で系統番号「００」を指定し、アドレス指定枠９２でアドレス「０１」を指定し、回線指定枠９４で回線番号「００９−１」を指定しており、この指定が済んだ状態で設定釦６５をタッチ操作すると、指定番号「００１  ００−０１−００９−１」に対応してスケジュールマスク設定欄８６に、「００１  ００−０１−００９−１  １棟  １階  ９地区  防火扉  スケジュール設定中」とするスケジュールマスクの設定情報が表示される。
【００８３】
続いて、図９に示すスケジュールマスク設定画面５６−７に切り替わる。図９示すスケジュールマスク設定画面５２−７は、図８のスケジュールマスク設定画面５２−６により設定したスケジュールマスク設定欄８６に続いて、スケジュール番号指定枠９６が設けられる。
【００８４】
スケジュールマスク設定画面５２−７では、図６のスケジュール設定画面５２−５で作成した稼働日と休日・特殊日それぞれのスケジュール番号１〜５の中から必要とするスケジュール番号を選択し、例えば稼働日スケジュール番号「１」を指定し、休日・特殊日スケジュール番号「１」「２」を指定し、続いて、設定釦６５をタッチ操作すると、スケジュール番号指定枠９６に指定した稼働日スケジュール番号「１」と休日・特殊日スケジュール番号「１」「２」が設定される。
【００８５】
（防火扉管理データ）
図１０は防火扉管理データを一覧形式で示した説明図である。図１０に示すように、防火扉管理データ１０２には、配置情報として、系統、アドレス、種別、棟、階、地区が格納され、これに続いて防火扉の閉鎖確認信号に対する確認マスクが格納され、この確認マスクには、スケジュールマスクの設定を示す「スケジュール」、又は、手動マスクの設定を示す「手動」が格納される。次に、休日とスケジュール番号の組が格納され、続いて、稼働日とスケジュール番号の組が配置され、更に、特殊日とスケジュール番号の組が格納される。
【００８６】
複数のスケジュールマスク設定や一つのスケジュールマスク設定における複数のスケジュール番号の設定により、同一の防火扉に複数のスケジュール番号の設定が行われた場合は、複数のスケジュール番号が格納される。確認マスクのスケジュールは確認マスクＯＮが優先となる。
【００８７】
例えば、稼働日スケジュール番号１が開始時刻「１８：００」と終了時刻「０６：００」を設定され、稼働日スケジュール番号２が開始時刻「２１：００」と終了時刻「０９：００」を設定され、アドレス０１８の防火扉の確認マスクスケジュールの稼働日に、スケジュール番号１とスケジュール番号２が格納されたとき、稼働日の確認マスクは「１８：００」から「０９：００」まで有効となる。
【００８８】
図１０の最初の行は、図２乃至図９の画面操作に基づいて設定したスケジュールタイムに基づく防火扉管理データが格納されている。
【００８９】
（設定された確認マスクのタイムスケジュール）
図１１はスケジュール設定制御部により設定されたタイムスケジュールの一例を示した説明図であり、図１０の最初の行の防火扉管理データ１０２に対応した防火扉の閉鎖確認信号に対する確認マスクのタイムスケジュールを示している。
【００９０】
図１１にあっては、図２乃至図６の画面操作に基づいて、月火水木金土の各曜日については、右側に示すように稼働日１２２が指定され、また、スケジュール番号「１」が指定され、更に、稼働日スケジュール番号「１」によるマスク設定は開始時刻１１８ａが「１８：００」と終了時刻１２０ａが「０６：００」であり、この結果、左側の火水木金土との各曜日の２４時間のタイムスケジュールにおいて、斜線部で示す時間帯がマスク設定時間１２６ａ，１２６ｂとして設定される。
【００９１】
また、日曜日については、右側に示すように休日１２４が指定され、また、休日・特殊日スケジュール番号「１」「２」が指定され、更に、休日・特殊日スケジュール番号「１」によるマスク設定は開始時刻１１８ｂが「００：００」と終了時刻１２０ｂが「０８：００」であり「００：００〜０８：００」まで確認マスクＯＮと設定されるとともに、また、稼働日スケジュール番号「１」によるマスク設定は開始時刻１１８ａが「１８：００」と終了時刻１２０ａが「０６：００」であるから、稼働日スケジュール番号「１」により「００：００〜０６：００」まで確認マスクＯＮと設定され、確認マスクＯＮが優先されるため、最終的に「００：００〜０８：００」まで確認マスクＯＮと設定され、左側の日曜日の２４時間のタイムスケジュールにおいて、斜線部で示す時間帯がマスク設定時間１２８ａとして設定される。
【００９２】
また、休日・特殊日スケジュール番号「２」によるマスク設定は開始時刻１１８ｃが「１９：００」と終了時刻１２０ｃが「０６：００」であり、この結果、左側の日曜日の２４時間のタイムスケジュールにおいて、斜線部で示す時間帯がマスク設定時間１２８ｂとして設定されるとともに、月曜日の２４時間のタイムスケジュールにおいて、斜線部で示す時間帯がマスク設定時間１２８ｃとして設定される。
【００９３】
図１の受信機１０に設けたマスク設定制御部５０は、図１１に示した月火水木金土日の１週間分の防火扉からの閉鎖確認信号に対するマスク設定のためのタイムスケジュールを生成し、マスク設定の開始時間から終了時間までの設定時間帯での防火扉アドレスを指定したマスク設定をマスク部４８に指示し、受信機１０でマスク設定した防火扉アドレスの閉鎖確認信号を受信してもこれをマスクし、防火扉の閉鎖を示す警報報知を抑止させる制御を行う。
【００９４】
（マスク設定中の通常画面）
図１２は確認マスクのタイムスケジュールが設定された状態での通常監視画面を示した説明図である。
【００９５】
図１２に示すように、防火扉からの閉鎖確認信号に対するタイムスケジュール又は手動によるマスク設定が行われると、通常監視画面５２−１の上段に表示しているマスクインジケータ５６ａは、図２に示したマスク設定なしのときのマスクインジケータ５６と異なった表示となる。即ち、マスク設定が行われたときのマスクインジケータ５６ａは、丸の中に配置した矩形の外側の表示色が異なる色に変化し、これによりマスク設定が行われていることを表示している。
【００９６】
このようにマスク設定を示す表示となったマスクインジケータ５６ａをタッチ操作すると図１３（Ａ）に示すスケジュールマスク設定画面５２−８に切り替わり、マスク設定欄１０４に現在設定中のマスク設定情報が表示される。図示の画面にあっては、３つのマスク設定情報が表示されており、１段目と２段目はタイムスケジュールによるマスク設定であり、３段目は手動によるマスク設定となっている。
【００９７】
また、マスク設定した防火扉からの閉鎖確認信号を受信した状態で図１２の通常監視画面５２−１のマスクインジケータ５６ａをタッチ操作すると、図１３（Ｂ）のスケジュールマスク設定画面５２−９に切り替わる。
【００９８】
このスケジュールマスク設定画面５２−９では、図１３（Ａ）と同じ３つのマスク設定情報がマスク設定欄１０４に表示され、これに加え、現在、閉鎖確認信号を受信してマスク中の防火扉については、例えば１段目と２段目のマスク設定情報の中に「確認」の文字表示により閉鎖確認信号の受信中表示１０６を行っており、マスク設定により警報報知は行われないが、確認信号を受信していることが分かるようにしている。
【００９９】
また、確認一覧をタッチ操作すると、図１４に示す防火扉確認一覧画面５２−１０に切り替わり、各防火扉のスケジュールマスク設定を一覧表示する。本画面では、各防火扉に関係するすべての確認スケジュールマスク設定に基づき、確認マスクがＯＮの時間を表示する。
【０１００】
アドレス  ００１である１棟  １階  ９地区  防火扉は、稼働日スケジュール番号「１」、休日・特殊日スケジュール番号「１」「２」が設定されているため、確認マスクＯＮとなる時間は、前日が稼働日の稼働日は「００：００〜０６：００」、「１８：００〜２４：００」となり、前日が稼働日の休日・特殊日は「００：００〜０９：００」、「１９：００〜２４：００」となり、前日が休日・特殊日の休日・特殊日は「００：００〜０９：００」、「１９：００〜２４：００」となり、前日が休日・特殊日の稼働日は「００：００〜０６：００」、「１８：００〜２４：００」となる。
【０１０１】
また、同様にアドレス  ０１８である１棟  １階  １４地区  防火扉は、稼働日スケジュール番号「１」「２」、休日・特殊日スケジュール番号「１」「２」が設定されているため、確認マスクＯＮとなる時間は、前日が稼働日の稼働日は「００：００〜０９：００」、「１８：００〜２４：００」となり、前日が稼働日の休日・特殊日は「００：００〜０９：００」、「１９：００〜２４：００」となり、前日が休日・特殊日の休日・特殊日は「００：００〜０９：００」、「１９：００〜２４：００」となり、前日が休日・特殊日の稼働日は「００：００〜０６：００」、「１８：００〜２４：００」となる。
【０１０２】
また、同様にアドレス  ０３２である１棟  １階  ２８地区  防火扉は、稼働日スケジュール番号も休日・特殊日スケジュール番号も設定されていないため、スケジュールで確認マスクＯＮとなる時間はない。
【０１０３】
また、各防火扉がマスク中かどうか示すと共に、現在がスケジュール上でどのタイミングであるか示すようにしても良い。
【０１０４】
また、確認マスクがＯＮとなっているスケジュール部分をタッチ操作することで、当該確認マスクをＯＮに設定している図９に示すスケジュールマスク設定画面５２−７に移動するようにしても良い。
【０１０５】
（スケジュールによる確認マスクと手動による確認マスクの競合について）
スケジュールによる確認マスク設定と手動による確認マスク設定が競合したときには、手動による確認マスク設定を優先する。つまり、スケジュール上で確認マスクがＯＮに設定されており、確認マスクＯＮとなっている状態であっても、手動による確認マスクＯＦＦ設定が行われたときは確認マスクＯＦＦとなる。
【０１０６】
また、スケジュール上で確認マスクがＯＦＦに設定されており、確認マスクＯＦＦとなっている状態であっても、手動による確認マスクＯＮ設定が行われたときは確認マスクＯＮとなる。
【０１０７】
また、手動による確認マスクＯＮ設定が行われているとき、スケジュール上で確認マスクがＯＦＦに設定される時間が来ても、手動による確認マスクＯＮ設定を優先し、確認マスクＯＮを維持する。
【０１０８】
また、手動による確認マスクＯＦＦ設定が行われているとき、スケジュール上で確認マスクがＯＮに設定される時間が来ると、手動による確認マスク設定は解除されているものとして、確認マスクＯＮとなる。
【０１０９】
［セキュリティ設備の連動する火災報知設備］
図１５はセキュリティ設備と連動する火災報知設備の実施形態を示した説明図である。図１５に示すように、本実施形態にあっては、火災受信機１０を備えた火災報知設備は、施設の警備や入退出管理を行うセキュリティ設備２００と連動して、施設の出入口等の扉を兼用する防火扉からの閉鎖確認信号による警報報知のマスク設定制御を行うことを特徴とする。
【０１１０】
火災報知設備は、Ｒ型の受信機１０から警戒区域に対し系統毎に分けて信号回線１２−１〜１２−３が引き出され、アナログ型の火災感知器１４、中継器１６から引き出された感知器回線１７にオンオフ型の火災感知器１８及び発信機２０、伝送機能を有するアドレッサブル発信機２２等が接続されている。
【０１１１】
また、信号回線１２−３には中継器１６を介して防排煙機器２４が接続され、防火扉２４は、ソレノイド２４ａを備えたラッチ装置により、通常監視時は開放状態に保持されており、受信機１０で火災を判断したときの制御信号を中継器１６で受信し、駆動回路部２４ｃによるソレノイド２４ａの通電でラッチを解除して閉鎖され、防火扉２４の閉鎖を閉鎖検出器２４ｂにより検出して閉鎖確認信号を中継器１６を介して受信機１０に送信する。
【０１１２】
受信機１０には、受信制御部４６、マスク部４８及びマスク設定制御部５０ａの機能が設けられる。受信制御部４６は図１の実施形態と同じであり、また、防火扉２４に設けた閉鎖検出器２４ｂからの閉鎖確認信号を受信したときに防火扉閉鎖を警報報知させる。マスク部４８は、防火扉２４に設けた閉鎖検出器２４ｂからの閉鎖確認信号をマスクして受信制御部４６による防火扉閉鎖の警報報知を抑止する。
【０１１３】
マスク設定制御部５０ａは、セキュリティ設備２００から警備開始信号を受信したときに、マスク部４８による防火扉２４からの閉鎖確認信号のマスク設定を開始させ、セキュリティ設備２００から警備終了信号を受信したときに、マスク部４８による防火扉２４からの閉鎖確認信号のマスク設定を解除させる制御を行う。
【０１１４】
このため、施設の利用時間帯が経過してセキュリティ設備２００で施設の警戒監視の開始に伴う警備開始信号を受信すると、出入口等の扉を兼用した防火扉２４からの閉鎖確認信号に対するマスク設定が自動的に行われ、夜間等の定刻に達して管理者が防火扉２４を閉鎖して退出するときに、セキュリティ設備２００との連動により閉鎖確認信号に対するマスク設定が受信機１０で自動的に行われており、防火扉２４の閉鎖に伴い閉鎖確認信号を受信しても警報報知は行われず、閉鎖確認信号のマスクに管理者の手動設定操作が不要となり、管理者の火災報知設備が設置された施設の日常的な運用管理における負担を大幅に低減できる。
【０１１５】
また、セキュリティ設備２００は、警備開始信号に先立ち警備開始予告信号を送信し、また、警備終了信号に先立ち警備終了予告信号を送信する場合がある。この場合、受信機１０のマスク設定制御部５０ａは、セキュリティ設備２００から警備開始予告信号を受信したときに、マスク部４８による防火扉２４からの閉鎖確認信号のマスク設定を開始させ、セキュリティ設備２００から警備終了予告信号を受信したときに、マスク部４８による防火扉２４からの閉鎖確認信号のマスク設定を解除させる制御を行うようにしても良い。
【０１１６】
［本発明の変形例］
（確認マスクスケジュールの設定日）
上記の実施形態は、稼働日と休日・特殊日についてそれぞれ確認マスクスケジュール設定できるものとしているが、これに限らない。稼働日と休日の区分でなく、稼働日前稼働日、休日・特殊日前稼働日、休日・特殊日前休日・特殊日、稼働日前休日・特殊日に分類し、それぞれ確認マスクスケジュール設定できるものとしてもよい。このように区分することで、翌日に跨るマスク設定について翌日が稼働日か休日・特殊日かによってそれぞれ設定することが容易となる。
【０１１７】
（タイムスケジュールによるマスク設定）
上記の実施形態に示した防火扉からの閉鎖確認信号をマスクするためのタイムスケジュールを設定する画面操作は一例であり、マスク設定のタイムスケジュール（時間帯）を設定することのできる適宜の画面操作とすることができる。
【０１１８】
（Ｐ型受信機）
上記の実施形態は、Ｒ型の受信機からの信号回線を介してＲ型の火災感知器を接続した火災報知設備を例にとっているが、Ｐ型の受信機から引き出した感知器回線にアドレスを設定すると共に伝送機能を備えたアドレッサブル火災感知器を接続した火災報知設備についても、防火扉の閉鎖確認信号を回線単位に受信できるようにすることで、同様に、受信機に設けたマスク設定制御部により、閉鎖確認信号のマスクを開始するマスク開始時刻とマスクを終了するマスク終了時刻を指定したタイムスケジュールを設定して制御することで、管理者の手動操作による閉鎖確認信号に対するマスクの設定と解除を不要にして作業負担を軽減できる。
【０１１９】
（無線感知器）
上記の実施形態は、受信機１０から施設の警戒区域に引き出された信号回線に火災感知器１４を接続する通信形態を例にとっているが、火災感知器１４を無線式の火災感知器とし、受信機と火災感知器の通信の一部または全部を無線通信しても良い。
【０１２０】
（マスク対象）
上記の実施形態は、施設の出入口等の扉を兼用する防火扉からの閉鎖確認信号の受信による警報表示をなくすためのマスク処理を例にとるものであったが、これに限定されず、日常的な運用管理を通じてマスク設定の必要性のある適宜の防災機器からの作動信号につき、同様にタイムスケジュールによりマスク設定を自動的に行うようにしても良い。
【０１２１】
（その他）
また、本発明はその目的と利点を損なうことのない適宜の変形を含み、更に上記の実施形態に示した数値による限定は受けない。
【符号の説明】
【０１２２】
１０：受信機
１２，１２−１〜１２−３：信号回線
１４，１８：火災感知器
１６：中継器
１７：感知器回線
２０：発信機
２２：アドレッサブル発信機
２４：防火扉
２４ａ：ソレノイド
２４ｂ：閉鎖検出器
２４ｃ：駆動回路部
２６：メインＣＰＵ
２８−１〜２８−３：サブＣＰＵ基板
３０−１〜３０−３：サブＣＰＵ
３２−１〜３２−３：伝送部
３４：シリアル転送バス
３６：ディスプレイ
３８：表示部
４０：操作部
４２：音響警報部
４４：移報部
４６：受信制御部
４８：マスク部
５０，５０ａ：マスク設定制御部
５２−１：通常監視画面
５２−２：スケジュールメニュー画面
５２−３：稼働日・休日設定画面
５２−４：特殊日設定画面
５２−５：スケジュール時刻設定画面
５２−６：スケジュールマスク設定画面
５２−７：スケジュール番号設定画面
５２−１０：防火扉確認
５４：インジケータ表示部
５６，５６ａ：マスクインジケータ
２００：セキュリティ設備
【図１】
2020135691.tif 000003
【図２】
2020135691.tif 000004
【図３】
2020135691.tif 000005
【図４】
2020135691.tif 000006
【図５】
2020135691.tif 000007
【図６】
2020135691.tif 000008
【図７】
2020135691.tif 000009
【図８】
2020135691.tif 000010
【図９】
2020135691.tif 000011
【図１０】
2020135691.tif 000012
【図１１】
2020135691.tif 000013
【図１２】
2020135691.tif 000014
【図１３】
2020135691.tif 000015
【図１４】
2020135691.tif 000016
【図１５】
2020135691.tif 000017